(57)【特許請求の範囲】
【請求項１】
回転軸と、該回転軸を支えるティルティングパッド式ジャーナル軸受装置と、前記回転軸に取り付けられたタービンと、該タービンの段落部に設けられたシールとを備えた蒸気タービンであって、
前記軸受装置は、
前記回転軸を支える複数個のパッドと、
前記複数個のパッドの各背面に固定されたピボットと、
前記ピボットを介して前記複数個のパッドを支えるハウジングとを備え、
前記複数個のパッドのうち、前記回転軸の荷重方向に設置された少なくとも１個の前記パッドに固定された前記ピボットの剛性が、他の前記パッドに固定された前記ピボットの剛性よりも大きく、
前記複数個の前記パッドにそれぞれ固定された前記ピボットの前記ハウジングと接する面は球形面であり、
前記複数個のパッドのうち、前記回転軸の荷重方向に設置された少なくとも１個の前記パッドに固定された前記ピボットの前記球形面の曲率半径が他の前記パッドに固定された前記ピボットの前記球形面の曲率半径よりも大きいことを特徴とする蒸気タービン。
【請求項２】
回転軸を支える複数個のパッドと、
前記複数個のパッドの各背面に固定されたピボットと、
前記ピボットを介して前記複数個のパッドを支えるハウジングとを備えるティルティングパッド式ジャーナル軸受装置であって、
前記回転軸の荷重方向に設置された少なくとも１個の前記パッドに固定された前記ピボ
ットの剛性が、他の前記パッドに固定された前記ピボットの剛性よりも大きく、
前記パッドにそれぞれ固定された前記ピボットの前記ハウジングと接する面は球形面であり、
前記回転軸の荷重方向に設置された少なくとも１個の前記バッドに固定された前記ピボットの球形面の曲率半径が、他のパッドに固定されたピボットの球形面の曲率半径よりも大きいことを特徴とするティルティングパッド式ジャーナル軸受装置。
【発明の詳細な説明】
【技術分野】
【０００１】
本発明は、ティルティングパッド式のジャーナル軸受装置に関する。
【背景技術】
【０００２】
蒸気タービンに使われる軸受において、比較的平均面圧（軸受に掛る荷重を軸受の投影面積で除したもの）が低い場合にはティルティングパッド軸受が使われている。これは、他の形式の軸受（真円軸受や楕円軸受など）と比較し、油膜の圧力により生じる回転軸を振れ回す方向の力が小さく、軸受を起因とする不安定振動が発生しにくいためである。
【０００３】
しかしながら、シールなど別の部位において回転軸を振れ回す方向の力が生じる場合には、特に平均面圧が小さい場合において、不安定振動が生じやすくなるという問題があった。これは、軸受の油膜による垂直方向の剛性と水平方向の剛性が等方（均一）的となると、回転軸を振れ回す力を打ち消すことができなくなるからである。
【０００４】
この改善策としては軸受の油膜による垂直方向の剛性と水平方向の剛性との差（軸受ばね異方性）を大きくすればよい。特許文献１においては油膜自体の剛性に異方性を持たせるため、パッド内面の曲率半径，厚さ，幅，円弧角の寸法諸元を個別あるいは組み合わせて変更するとしている。
【０００５】
また、軸受の剛性は回転軸とパッドとの間に形成される油膜の特性だけでなく、軸受の支持部材の剛性にも影響される。そこで、特許文献２においては、軸受を第１および第２の弾性支持装置により取り付け、これらの支持装置の剛性が合い異なることにより軸受の剛性に異方性を持たせることができるとしている。
【先行技術文献】
【特許文献】
【０００６】
【特許文献１】特開昭６０−６０３２０号公報
【特許文献２】特開昭６１−２４８９１５号公報
【発明の概要】
【発明が解決しようとする課題】
【０００７】
しかしながら、特許文献１に記載された方法では、それぞれの寸法諸元が軸受剛性に与える影響を調べるために、諸元に合わせた油膜の特性を数値解析により求める必要がある。
【０００８】
また、特許文献２に記載された方法では、支持装置を２種類取り付ける必要があり、構造が複雑である。
【０００９】
本発明の目的は、簡略な構造により回転軸の不安定振動を低減できるティルティングパッド式ジャーナル軸受装置を提供することにある。
【課題を解決するための手段】
【００１０】
本発明は、回転軸を支える複数個のパッドと、複数個のパッドの背面に固定されたピボットと、ピボットを介して複数個のパッドを支えるハウジングとを備えるティルティングパッド式ジャーナル軸受装置において、回転軸の荷重方向に設置された少なくとも１個のパッドに固定されたピボットの剛性を、他のパッドに固定されたピボットの剛性よりも大きく、パッドにそれぞれ固定されたピボットのハウジングと接する面は球形面であり、回転軸の荷重方向に設置された少なくとも１個の前記バッドに固定されたピボットの球形面の曲率半径が、他のパッドに固定されたピボットの球形面の曲率半径よりも大きいことを特徴とする。
【発明の効果】
【００１１】
本発明のティルティングパッド式ジャーナル軸受装置によれば、軸受パッドを支持する部材であるピボットの剛性を変えることにより軸受剛性に異方性を持たせる簡略な構造により回転軸の不安定振動を低減できる。
【図面の簡単な説明】
【００１２】
【図１】本発明の実施例に係るティルティングパッド式ジャーナル軸受装置を示す断面図である。
【図２】本発明の実施例である蒸気タービンの全体概略図である。
【図３】軸受剛性の異方性と安定性について説明する説明図である。
【図４】軸受の油膜ばねとピボットばねについて説明する説明図である。
【発明を実施するための形態】
【００１３】
以下、本発明を実施するための形態について、適宜図を参照して詳細に説明する。なお、各図面を通し、同等の構成要素には同一の符号を付してある。
【実施例１】
【００１４】
本発明の実施例を、以下図１乃至図４を用いて説明する。図１は本実施例に係るティルティングパッド式ジャーナル軸受装置の例を示す断面図である。図２は本発明の実施例である蒸気タービンの例を示す全体概略図である。図３は軸受剛性の異方性と安定性について説明する図である。図４は軸受の油膜ばねとピボットばねについて説明する図である。
【００１５】
図１において、１ａ，１ｂはパッド、２は回転軸、３はハウジング、５ａ，５ｂはピボットを各々示す。
【００１６】
図１に示すように、回転軸２の周りにパッド１ａおよび１ｂが配設されている。パッド１ａは、Ｗで示した回転軸２の荷重方向に設置されたパッドであり、回転軸２の荷重を主に支承する。それぞれのパッド１ａ，１ｂの背面には、ピボット５ａおよび５ｂがそれぞれ固定されており、これらのピボットはハウジング３の内面に接している。よって、パッド１ａ，１ｂはそれぞれピボット５ａ，５ｂを介してハウジングに支えられている。
【００１７】
ピボット５ａのハウジング３と接する面は、曲率半径ｒaの球面加工が施されている球形面であるため、パッド１ａはピボット５ａがハウジング３に接した状態で揺動可能である。なお、ピボット５ｂのハウジングと接する面も同様に曲率半径ｒbの球面加工が施された球形面であり、ｒa＞ｒbとなっている。
【００１８】
図示しない給油口から潤滑油が供給されることにより、パッド１と回転軸２とで囲まれる空間には潤滑油が存在している。回転軸２が回転すると、それぞれのパッド１と回転軸２との間には潤滑油が巻き込まれることにより、油膜が形成される。油膜中に発生する圧力により回転軸２は持ち上げられるため、パッド１と直接接触することなく回転することができる。油膜中に発生する圧力は、図１中にＷとして示した荷重方向に設置されたパッド１ａにおけるものが最も大きく、その他のパッド１ｂにおけるものはそれと比して小さい。これらの油膜は、ばねや減衰の特性を持つため、回転軸２の振動に影響を与える。
【００１９】
図２に示すような蒸気タービンの回転軸２においては、タービン６のタービン段落各段に設置されたシール（図示していない）において発生する流体力により回転軸２を振れ回すような振動が生じやすい。
【００２０】
図３はシール流体力と軸受ばね異方性が軸振動の安定性に及ぼす影響について説明するものである。縦軸にシール流体力、横軸に軸受ばね異方性を取ると、軸振動の安定と不安定の境界は図中に実線で示すような右上がりの曲線となる。シール流体力は、シール部の形状などにより決まる。例えば、シール流体力がｋ1の場合に軸受ばね異方性がｄ1であるような軸受を取り付けると、軸は不安定となり振動が生じる。一方で、ばねの異方性がｄ2であるような軸受を取り付けた場合には、軸は安定化するため振動は生じない。このように、シール流体力が同一であれば、異方性が大きな軸受を取り付けたほうが安定性は向上する。
【００２１】
ところで、図２において回転軸２を支える軸受４のばね特性は、油膜の特性だけでなく、ピボットの特性の影響も受ける。図４に示すように、油膜のばね１１とピボットのばね１２はパッド１を介して直列につながっている。パッド１の質量は、回転軸２の質量と比較して非常に小さいのでほとんど無視することができるため、これらのばねは単純に直列につながっていると考えても良い。つまり、ピボットのばね１２を調節することにより、軸受４のばね特性を調節することができる。
【００２２】
ピボットのばね１２の調節は、ハウジングとの接触部に施された球面加工の曲率半径により調節することができる。曲率半径が大きいほうが変形が小さくなり、ばね剛性が大きい。
【００２３】
本発明の実施例においては、荷重を主となって支えるパッド１ａに固定されるピボット５ａの曲率半径ｒaを、他のパッド１ｂの曲率半径ｒbよりも大きくしているため、荷重に対し垂直方向の軸受ばね剛性と比較して荷重方向の軸受ばね剛性を高くすることができる。これにより、本実施例によればばね剛性の異方性の高い軸受を実現することができ、振動に対して安定的な蒸気タービンを実現することが可能となる。
【００２４】
よって、本実施例のティルティングパッド式ジャーナル軸受によれば、荷重を主となって支えるパッド１ａに固定されるピボット５ａの曲率半径ｒaを、他のパッド１ｂの曲率半径ｒbよりも大きくする簡略な構造で、回転軸の不安定振動を低減できる。また、図４において説明したように軸受ばね剛性の算出においては油膜ばねとピボットばねが直列になっているとして算出することができる。本実施例の構造によれば、ピボットばねの特性値を曲率半径に応じて変更するだけで良い。数値解析により油膜特性値を算出するのに比べ、数式によるピボットばね特性値の算出は簡単であるので、軸受ばね特性を変えるために油膜特性を変える他の方法に比べ、特性の算出も簡便である。
【００２５】
なお、本発明は上記した実施例に限定されるものではなく、例えば荷重方向に設置するパッド１ａは、１個に限定されるものではない。また、上記した実施例は本発明を分かりやすく説明するために詳細に説明したものであり、必ずしも説明した全ての構成を備えるものに限定されるものではない。また、各実施例の構成の一部について、他の構成の追加・削除・置換をすることが可能である。
【符号の説明】
【００２６】
１ａ，１ｂ  パッド
２  回転軸
３  ハウジング
４  軸受
５  ピボット
６  タービン
１１，１２  ばね
【図１】
0005463211.tif 000002
【図２】
0005463211.tif 000003
【図３】
0005463211.tif 000004
【図４】
0005463211.tif 000005